(57)【要約】【課題】フラッシュメモリに記憶された制御プログラムの書き換えが可能なオーディオ装置において、専用の表示部や回路を追加することなく、簡単な回路構成により、音により容易に制御プログラムのバージョンを確認したい。【解決手段】制御プログラムを記憶すると共に当該制御プログラムのバージョン情報を記憶するフラッシュメモリを備えたオーディオ装置において、制御プログラムのバージョン情報を確認する指示の入力があった場合にチューナ部からラジオ放送を受信していないことを示す検波信号を出力させ、オーディオ信号を出力する増幅部のミュート制御により、バージョン情報に基づいて検波信号が出力される期間と検波信号がミュートされる期間とからなるバージョン情報確認信号を出力させる。【選択図】      図１
2007096398.tif 000002
【特許請求の範囲】
【請求項１】
ラジオ放送を受信してオーディオ信号を出力すると共にラジオ放送を受信していないことを示す検波信号を出力するチューナ部と、前記オーディオ信号を増幅して出力する増幅部と、制御プログラムを記憶すると共に当該制御プログラムのバージョン情報を記憶するフラッシュメモリと、前記制御プログラムのバージョン情報を確認する指示を入力する操作部と、前記前記制御プログラムのバージョン情報を確認する指示の入力があった場合に前記チューナ部から検波信号を出力させ、前記増幅部のミュート制御により前記フラッシュメモリに記憶されたバージョン情報に基づいて前記増幅部から前記検波信号が出力される期間と前記検波信号がミュートされる期間とからなるバージョン情報確認信号を出力させる制御を行う制御部とを備えたことを特徴とするオーディオ装置。
【発明の詳細な説明】
【技術分野】
【０００１】
本発明は、マイクロコンピュータを搭載したラジオチューナ搭載のオーディオ装置に関する。
【背景技術】
【０００２】
現在、コンパクトディスクやデジタルバーサタイルディスク等のディスクを再生するディスク再生機能を備えた装置、或いは、マルチチャンネルオーディオ信号を増幅する増幅装置などのオーディオ装置において、電気的にデータの書き換えが可能なフラッシュメモリを搭載したマイクロコンピュータが用いられている。
【０００３】
このようなオーディオ信号においては、マイクロコンピュータの制御プログラムの書き換えが可能であり、当該制御プログラムのバージョンアップが簡単に行えるようになっている。当該オーディオ装置において、制御プログラムの書き換えを行う際には、当該制御プログラムのバージョン情報を確認する必要がある。従来は、制御プログラムのバージョン情報を確認する場合は、製品を分解し、マイクロコンピュータに貼り付けられているバージョン情報を表示したラベル等により確認するしかなかった。
【０００４】
製品を分解せずにバージョン情報を確認する方法として、特許文献１に、バージョンを表示する表示ランプと、バージョン表示スイッチを設け、バージョン表示スイッチを操作することにより、１個の表示ランプの点灯回数によりバージョンを表示する技術が開示されている。
【０００５】
【特許文献１】特開２０００−２５０６２０
【発明の開示】
【発明が解決しようとする課題】
【０００６】
しかし、特許文献１に開示されている技術では、表示ランプの点灯回数を視覚で確認するため、表示ランプに外光が照射している場合に表示ランプの点滅を見誤り、バージョンを間違って認識することがある。そうすると、新バージョンのプログラムを旧バージョンのプログラムと間違い、新バージョンのプログラムであるにも拘らず、再度、新バージョンのプログラムにバージョンアップすることがある。
【０００７】
また、低価格の製品において、制御プログラムのバージョン情報を確認するための専用の回路や表示部を設けた場合、回路構成が複雑になり、価格も高くなるという問題がある。また、小型の製品において、再生トラック番号等を表示する表示部や操作部を備えているフロントパネルにバージョン情報を表示するための表示部を追加することは、回路や表示部等を追加しなければならないため、回路構成が複雑になることがある。
【０００８】
本発明は、専用の表示部や回路を追加することなく、簡単な回路構成により、音により容易にプログラムのバージョンを確認することができるオーディオ装置を提供することを目的とする。
【課題を解決するための手段】
【０００９】
本発明は、ラジオ放送を受信してオーディオ信号を出力すると共にラジオ放送を受信していないことを示す検波信号を出力するチューナ部と、前記オーディオ信号を増幅して出力する増幅部と、制御プログラムを記憶すると共に当該制御プログラムのバージョン情報を記憶するフラッシュメモリと、前記制御プログラムのバージョン情報を確認する指示を入力する操作部と、前記前記制御プログラムのバージョン情報を確認する指示の入力があった場合に前記チューナ部から検波信号を出力させ、前記増幅部のミュート制御により前記フラッシュメモリに記憶されたバージョン情報に基づいて前記増幅部から前記検波信号が出力される期間と前記検波信号がミュートされる期間とからなるバージョン情報確認信号を出力させる制御を行う制御部とを備えたことを特徴とする。
【発明の効果】
【００１０】
本発明によれば、オーディオ装置において、専用の表示部や回路を追加することなく、簡単な回路構成により、音により容易にプログラムのバージョンを確認することができる。
【発明を実施するための最良の形態】
【００１１】
図１は、本発明のオーディオ装置の一実施形態の概略構成示すブロック図である。
本実施形態において、オーディオ装置は、ラジオ放送を受信するためのチューナ部を備え、外部機器から入力されたオーディオ信号に信号処理を施し、増幅して出力する増幅装置を例にあげて説明するが、それに限定されず、チューナ部を備えたディスク再生装置や、チューナ部を備えディスク再生機能及び増幅機能を備えた装置であってもよい。
【００１２】
図１に示すオーディオ装置は、チューナ部１、入力部２、信号処理部３、増幅部４、操作部５、制御部６を備える。
【００１３】
チューナ部１は、アンテナ７を備え、後述する制御部６の制御により、指定された周波数のラジオ放送を受信し、受信したラジオ放送のオーディオ信号を増幅部４に出力する。また、チューナ部１は、後述する制御部６の制御に基づいてＦＭの放送に同調させた検波信号（ホワイトノイズ）を出力する。
【００１４】
入力部２は、例えば、コンパクトディスクプレーヤなどの外部機器から入力するオーディオ信号を後段の信号処理部３に出力する。
【００１５】
信号処理部３は、入力部２から入力したオーディオ信号に、２チャンネルのオーディオ信号をマルチチャンネルオーディオ信号に変換する信号処理や、圧縮オーディオ信号を伸長する信号処理を施し、信号処理したオーディオ信号を増幅部４に出力する。
【００１６】
増幅部４は、後述する制御部６の制御により、チューナ部１及び信号処理部３から入力したオーディオ信号を増幅し、当該オーディオ装置に接続されているスピーカ８に出力する。
【００１７】
操作部５は、チューナ部１において受信するラジオ放送の放送局の選局、オーディオ信号の増幅、入力部２に接続されている外部機器の選択等の操作をするためのボタンを備える。また、操作部５は、後述する制御プログラムのバージョン情報を確認する際の指示を入力するときに操作する確認ボタンを備える。
【００１８】
ここで、本実施例において、制御プログラムのバージョン情報を確認するための指示は、操作部５の確認ボタンを押すことにしたが、それに限定されない。例えば、再生開始ボタンと再生停止ボタンを同時に予め定めた時間押し続けるなど、ユーザが特定の操作を行った場合に制御プログラムのバージョン情報を確認するための指示が行われたこととしてもよい。
【００１９】
制御部６は、オーディオ装置全体を制御する。制御部６は、操作部５からの指示信号に基づいて、チューナ部１が受信する放送局の選局の制御を行う。制御部６は、フラッシュメモリ９を備え、当該フラッシュメモリ９には、オーディオ装置全体の制御プログラム或は信号処理部等の制御プログラムと、当該制御プログラムのバージョン情報が記憶されている。
【００２０】
また、操作部５からバージョン情報を確認するための確認ボタンの指示信号が入力されると、制御部６は、アンテナ７からの信号入力を短絡して放送信号を受信できない状態に切り換えると共に、チューナ部１に対しＦＭの周波数に同調させ、検波信号（ホワイトノイズ）が出力されるようにする。そして、制御部６は、チューナ部１から出力された検波信号を増幅部４から出力する際に増幅部４のミュート制御を行い、増幅部４から検波信号が出力される間隔をフラッシュメモリ９に記憶されたバージョン情報に基づいて変更し、制御プログラムのバージョン情報を示すバージョン確認信号を出力される制御を行う。
【００２１】
図２は、本実施例のオーディオ装置におけるバージョン確認信号を説明する図である。
バージョン確認信号は、検波信号が出力される数によりバージョン情報を表現する。本実施形態においては、バージョン情報が「１３２」の場合を例に挙げて説明する。
【００２２】
制御部６は、フラッシュメモリ９に記憶されているバージョン情報に基づいて、チューナ部１から出力される検波信号を利用し、予め定めたパターンで検波信号が出力されるよう増幅部４においてミュート制御を行う。
【００２３】
バージョン確認信号は、バージョン確認信号の開始を示す先頭信号と、バージョン情報を示す情報信号とからなる。先頭信号は、第１の時間（例えば、３秒間）出力される検波信号である。
【００２４】
情報信号は、バージョン情報の番号を検波信号が第２の時間（例えば、１秒間）出力される数で示す。例えば、番号「２」を示す情報信号は、１秒間（第２の時間）検波信号が出力された後、１秒間（第２の時間）検波信号を出力されず（ミュート）、そして、１秒間（第２の時間）検波信号を出力される。
【００２５】
先頭信号と情報信号との間、および、バージョン情報の番号の桁と桁の間を示す区切りは、第１の時間（３秒間）ミュートされる。また、情報信号のバージョン情報の番号を示す検波信号が出力される間は、第２の時間（１秒間）ミュートされる。例えば、バージョン情報が「１３２」の場合、番号「１」と番号「３」の情報信号が出力される間、第１の時間ミュートされる。
【００２６】
したがって、バージョン情報が「１３２」の場合、バージョン確認信号は、最初に、３秒間、先頭信号を示す検波信号が出力され、１秒間ミュートされる。次に、バージョン情報の番号「１」を示す情報信号として、１秒間検波信号が出力され、１秒間ミュートされる。
【００２７】
バージョン情報の番号の桁と桁の間を示す区切りを示す検波信号が３秒間出力された後、１秒間ミュートされる。そして、バージョン情報の番号「３」を示す情報信号として、１秒間検波信号が出力され１秒間ミュートされるパターンを３回繰り返す。
【００２８】
バージョン情報の番号の桁と桁の間を示す区切りを示す検波信号が３秒間出力された後、次に、バージョン情報の番号「２」を示す情報信号として、１秒間検波信号が出力され１秒間ミュートされるパターンを２回繰り返され、終了する。
【００２９】
バージョン確認信号の終了は、２秒以上検波信号が出力されないことにより判別する。
【００３０】
当該バージョン確認信号は、ユーザが操作部５による１回の指示について１回出力される。ユーザが操作部５により再度バージョン情報確認の指示を行った場合、再度、同様のバージョン確認信号が出力される。
【００３１】
次に、本実施例のオーディオ装置におけるバージョン確認信号を出力する際の動作を説明する。
図３は、本実施形態のオーディオ装置の動作を示すフローチャートである。
制御部６は、操作部５によりフラッシュメモリ９に記憶されている制御プログラムのバージョン情報を確認する確認ボタンが押されたか否かを監視する（ステップＳ１）。
【００３２】
確認ボタンが押された場合、制御部６は、フラッシュメモリ９に記憶されているバージョン情報を読み出す（ステップＳ２）。
【００３３】
制御部６は、チューナ部１を制御し、信号入力を短絡して受信不可の状態にし、ＦＭの７６ＭＨｚ〜９０ＭＨｚのいずれかの周波数に同調させ、チューナ部１から検波信号が出力されるように制御する（ステップＳ３）。
【００３４】
制御部６は、フラッシュメモリ９から読み取ったバージョン情報に基づいて増幅部４のミュート制御を行い、チューナ部１から入力する検波信号によりバージョン確認信号を出力させる（ステップＳ４）。
【００３５】
制御部６は、バージョン確認信号を出力した後、操作部５の確認ボタンが押されたか否かを監視し、予め定めた時間（例えば、５秒間）、確認ボタンが押されなかった場合、ユーザにより確認ボタンが押される前の状態に戻り終了する（ステップＳ５）。
【００３６】
以上により、本実施形態のオーディオ装置においては、操作部５の確認ボタンが押されることにより、ユーザは、音でフラッシュメモリ９に記憶されている制御プログラムのバージョン情報を簡単に確認できる。また、バージョン情報を表すバージョン確認信号は、チューナ部１から発生するホワイトノイズ（検波信号）を用いるため、制御プログラムのバージョン情報を表すための特殊な回路を設ける必要がなく、比較的、簡単な回路構成により、バージョン情報をユーザに知らせることができる。また、ユーザに音によりバージョン情報を知らせることができるため、ユーザが視覚によりバージョン情報を確認するより、正確にバージョン情報を確認することができる。
【図面の簡単な説明】
【００３７】
【図１】本発明のオーディオ装置の一実施形態の概略構成示すブロック図。
【図２】本実施例のオーディオ装置におけるバージョン確認出力信号を説明する図。
【図３】本実施形態のオーディオ装置の動作を示すフローチャート。
【符号の説明】
【００３８】
１・・・チューナ部、２・・・入力部、３・・・信号処理部、４・・・増幅部、５・・・操作部、６・・・制御部、７・・・アンテナ、８・・・スピーカ、９・・・フラッシュメモリ。
【図１】
2007096398.tif 000003
【図２】
2007096398.tif 000004
【図３】
2007096398.tif 000005